(57)【要約】【課題】画像記録媒体への画像データの記録を失敗しても、画像データの消失を防止することができる画像記録装置を提供する。  【解決手段】ステップＳ３１０では、画像データが外部メディアに保存完了していないことを示すフラグであるステート情報が内蔵フラッシュメモリに保存される。ステップＳ３２０では画像データの保存を開始する。ステップＳ３３０でＤＳＰは画像データの保存が成功したか監視する。保存が成功したときはステップＳ３５０でステート情報が消去され、失敗したときはステップＳ３４０で内蔵フラッシュメモリに画像データ及びステート情報を記録する。ステップＳ３６０では保存の失敗は外部メディアが抜かれたことによるものであるか判断される。外部メディアが抜かれたことが保存失敗の原因であれば、ステップＳ３７０でデジタルカメラの電源を切断する。外部メディアが抜かれたことが原因でなければ、電源を切断せずにこの処理は終了する。【選択図】図３
2007300474.tif 000002
【特許請求の範囲】
【請求項１】
内蔵されるメモリと着脱可能な記録媒体とを有し、入力された画像データを前記記録媒体に記録する画像記録装置であって、
前記画像データを前記記録媒体に記録しているときに前記記録媒体が前記画像記録装置から外された場合、前記メモリに前記画像データを記録することを特徴とする画像記録装置。
【請求項２】
前記メモリに前記画像データの記録が完了すると、前記画像記録装置の電源が切断されることを特徴とする請求項１に記載の画像記録装置。
【請求項３】
前記画像記録装置の電源が投入されたときに、前記メモリに記録された前記画像データが前記画像記録装置に接続された記録可能である記録媒体に記録されることを特徴とする請求項２に記載の画像記録装置。
【請求項４】
前記メモリに前記画像データを記録するときに、前記画像データの前記記録媒体への保存が完了していないことを示すステート情報を記録することを特徴とする請求項１に記載の画像記録装置。
【請求項５】
前記メモリに前記画像データと前記ステート情報との記録が完了すると、前記画像記録装置の電源が切断されることを特徴とする請求項４に記載の画像記録装置。
【請求項６】
前記画像記録装置の電源が投入されたときに前記ステート情報が前記メモリに記録されている場合、前記メモリに記録された前記画像データが前記記録媒体に記録されることを特徴とする請求項５に記載の画像記録装置。
【請求項７】
前記画像記録装置に記録可能である前記記録媒体が接続されたときに前記ステート情報が前記メモリに記録されている場合、前記メモリに記録された前記画像データが前記記録媒体に記録されることを特徴とする請求項４に記載の画像記録装置。
【請求項８】
前記画像記録装置に記録可能である前記記録媒体が接続されたときに、この接続動作に応じて前記メモリに記録された前記画像データが前記記録媒体に記録されることを特徴とする請求項１に記載の画像記録装置。
【請求項９】
前記メモリに記録されている画像データを前記記録媒体に記録するか否かを選択する記録選択手段を有することを特徴とする請求項１に記載の画像記録装置。
【請求項１０】
前記画像記録装置は表示手段と操作スイッチとをさらに備え、
前記記録選択手段は、前記表示手段に前記メモリに記録されている前記画像データを前記記録媒体に記録するか否かを選択するための選択表示を行い、前記操作スイッチを用いて前記選択表示に従い前記画像データを前記記録媒体に記録するか否かを選択することを可能にする、請求項９に記載の画像記録装置。
【請求項１１】
前記記録媒体に前記画像データが記録された後に前記メモリから前記画像データが削除されることを特徴とする請求項１から８に記載の画像記録装置。
【請求項１２】
前記記録媒体に前記画像データが記録された後に前記メモリから前記画像データと前記ステート情報とが削除されることを特徴とする請求項６又は７に記載の画像記録装置。
【請求項１３】
前記記録媒体は前記画像記録装置から外されたことを検知する取り外し検知手段を有することを特徴とする請求項１に記載の画像記録装置。
【請求項１４】
前記取り外し検知手段は前記記録媒体の接続部に設けられたスイッチであることを特徴とする請求項１３に記載の画像記録装置。
【請求項１５】
前記記録媒体はメモリカードであることを特徴とする請求項１に記載の画像記録装置。
【発明の詳細な説明】
【技術分野】
【０００１】
本発明は画像記録装置、特に画像記録装置が有する画像記録媒体への画像ファイルの保存に関する。
【背景技術】
【０００２】
画像記録装置、例えばデジタルカメラは、スイッチの操作によりレンズから入力された被写体をＣＣＤ／ＡＦＥにより画像データに変換する。画像データはＲＡＭに一時的に記憶されてＤＳＰにより画像処理されて着脱可能に設けられた外部メディアに記録される。ＬＣＤには記録媒体に記録された画像データ、レンズを介して得られたスルー画像、及びデジタルカメラの操作に必要な情報等が自動的にあるいはスイッチの操作に従って表示される。
【０００３】
画像データを記録する着脱可能な記録媒体、つまり外部メディアは、記録中にデジタルカメラから取り外されたり、残り記憶容量がなくなったりすることがある。この場合には、画像データの記録を完了することができず、画像データは失われる。そこで、画像データが失われることを防止するためにデジタルカメラ本体の外部にバックアップ装置を有するデジタルカメラが知られている（特許文献１）。
【特許文献１】特開２００４−１５３３６９号公報
【発明の開示】
【発明が解決しようとする課題】
【０００４】
しかし、外部にバックアップ装置を設けるとデジタルカメラ本体に通信手段を設けなければならず、カメラが大型化し電力消費量も増大する。また、通信手段による送信では通信障害が発生することがあり保存が完了することが必ずしも保証されない。
【０００５】
本発明は、画像記録媒体に画像データを記録することができなくても、画像データの消失を防ぐことができる画像記録装置を得ることを目的とする。
【課題を解決するための手段】
【０００６】
本発明は、内蔵されるメモリと着脱可能な記録媒体とを有し、入力された画像データを記録媒体に記録する画像記録装置であって、画像データを記録媒体に記録しているときに記録媒体が画像記録装置から外された場合、メモリに画像データを記録することを特徴とする。
【０００７】
メモリに画像データの記録が完了すると、画像記録装置の電源が切断され、電源が投入されたときには、メモリに記録された画像データが画像記録装置に接続された記録可能である記録媒体に記録されることが好適である。
【０００８】
また、メモリに画像データを記録するときには、画像データの記録媒体への保存が完了していないことを示すステート情報を記録することが好ましく、メモリに画像データとステート情報との記録が完了すると、画像記録装置の電源が切断されればなお良い。
【０００９】
画像記録装置の電源が投入されたときにステート情報がメモリに記録されている場合には、メモリに記録された画像データが記録媒体に記録されることが望ましい。
【００１０】
画像記録装置に記録可能である記録媒体が接続されたときにステート情報がメモリに記録されている場合、メモリに記録された画像データが記録媒体に記録されることが好ましい。
【００１１】
画像記録装置に記録可能である記録媒体が接続されたときに、この接続動作に応じてメモリに記録された画像データが記録媒体に記録されればなおよい。
【００１２】
画像記録装置は表示手段と操作スイッチとをさらに備え、メモリに記録されている画像データを記録媒体に記録するか否かを選択する記録選択手段を有し、記録選択手段は、表示手段にメモリに記録されている画像データを記録媒体に記録するか否かを選択するための選択表示を行い、操作スイッチを用いて選択表示に従い画像データを記録媒体に記録するか否かを選択することを可能にすることが好ましい。
【００１３】
記録媒体に画像データが記録された後にメモリから画像データとステート情報とが削除されることが望ましい。
【００１４】
記録媒体は画像記録装置から外されたことを検知する取り外し検知手段を有し、取り外し検知手段は記録媒体の接続部に設けられたスイッチであればよい。
【００１５】
記録媒体はメモリカードが好適である。
【発明の効果】
【００１６】
本発明は、画像記録媒体への画像データの記録を失敗しても、画像データの消失を防止して、画像データを画像記録媒体に保存することができる画像記録装置を提供する。
【発明を実施するための最良の形態】
【００１７】
以下、本発明の実施形態について添付図面を参照して説明する。図１は、本発明の画像記録装置を有するデジタルカメラの構成を示すブロック図であり、図２は撮影処理を示したフローチャートである。
【００１８】
デジタルカメラの電源が投入されると、ＤＳＰ１３０は内蔵フラッシュメモリ１５０からプログラム及び設定情報を読み込んで撮影処理のための準備を行う。内蔵フラッシュメモリ１５０はデジタルカメラに内蔵されるメモリであって、ＤＳＰ１３０が動作するに必要なプログラム及びユーザ設定データを記録する。レンズ１１０から入射した被写体像はＣＣＤ／ＡＦＥ１２０によりデジタル信号化されＲＡＭ１４０に画像データとして保存される。ＬＣＤ１６０は撮影情報およびＲＡＭ１４０に保存された画像データを表示する。
【００１９】
撮影処理について説明する。スイッチ１８０が操作されると、まずステップＳ２１０の画像データ取り込み処理が実行される。画像データ取り込み処理では、被写体像をレンズ１１０からＣＣＤ／ＡＦＥ１２０に入力し、ＣＣＤ／ＡＦＥ１２０がレンズ１１０から入射した画像をデジタル信号に変換して画像データとしてＲＡＭ１４０に保存する。ＤＳＰ１３０はステップＳ２２０において画像データを画像処理し、ステップＳ２３０でＪＰＥＧ圧縮等の圧縮処理を行う。そしてステップＳ２４０では画像データを外部メディア１７０に保存する。
【００２０】
図３を用いて保存処理について説明する。ステップＳ３１０では、ステート情報がセットされる。ステート情報は、画像データが外部メディア１７０に保存完了していないことを示すフラグである。次にステップＳ３２０において外部メディア１７０へ画像データの保存が開始される。
【００２１】
ステップＳ３３０では、ＤＳＰ１３０は画像データの保存が成功したか否かを監視する。保存の成功は、外部メディア１７０をコントロールする素子（図示しない）又は外部メディア１７０から書き込み完了を示す信号がＤＳＰ１３０へ送られることにより確認される。保存が成功したとき、つまり書き込み完了を示す信号をＤＳＰ１３０が受信した場合には、ステップＳ３５０で内蔵フラッシュメモリ１５０に記録されているステート情報が消去される。保存が失敗したとき、つまり書き込み完了を示す信号をＤＳＰ１３０が受信できない場合には、ステップＳ３４０で内蔵フラッシュメモリ１５０に画像データおよびステート情報を記録する。
【００２２】
次にステップＳ３６０において、ステップＳ３３０で確認された保存の失敗は外部メディア１７０が抜かれたことによるものであるか否かが判断される。外部メディア１７０が抜かれたために画像データの保存に失敗したのであれば、ステップＳ３７０でデジタルカメラの電源を切断する。外部メディア１７０が抜かれたことが保存失敗の原因でなければ、電源を切断せずにこの処理は終了する。
【００２３】
外部メディア１７０が抜かれたか否かの判断は、外部メディア１７０が接続される接続スロットが備える抜き差し検知スイッチ１７５（図１参照）、又は接続スロットを外部から覆うようにデジタルカメラ本体に取り付けられた蓋に設けられる開閉検知スイッチ１７５（図１参照）を用いて行われる。抜き差し検知スイッチ１７５は接続スロットに設けられて外部メディア１７０が抜かれたことを機械的又は光学的に直接検知する。開閉検知スイッチ１７５は機械的又は光学的に蓋の開閉を検知して、蓋が開けられると外部メディア１７０が外されたものと評価する。それぞれの検知スイッチ１７５は、外部メディア１７０が抜かれたことを検知又は評価したとき、抜かれたことを示す信号をコントロールラインによりＤＳＰ１３０へ発信する。ＤＳＰ１３０は受信した信号から外部メディア１７０が抜かれたことを判断する。
【００２４】
画像データの保存の失敗は、保存中に外部メディア１７０の記憶可能な残量がなくなったとき又は外部メディア１７０が破損したときにも発生する。このとき、ステップＳ３３０においてＤＳＰ１３０は書き込み完了を示す信号を受信することができないため、保存が失敗したと判断して、ステップＳ３４０において内蔵フラッシュメモリ１５０に画像データを保存すると共にステート情報を記録する。そしてステップＳ３６０で外部メディアは抜かれていないと判断し、電源を切断せずにこの処理は終了する。
【００２５】
これにより、外部メディア１７０への画像データの保存が失敗しても、画像データは失われることなく内蔵フラッシュメモリ１５０に保存される。
【００２６】
保存処理の終了後、画像データを記録できない外部メディア１７０がデジタルカメラに挿入されているときは、デジタルカメラの電源が切断されて外部メディア１７０は記録可能なものに交換される。一方、外部メディア１７０がデジタルカメラから抜かれたときには、記録可能である外部メディア１７０が挿入される。これによりデジタルカメラの電源を投入する準備が整う。
【００２７】
図４を用いてデジタルカメラの初期化処理について説明する。
【００２８】
スイッチ１８０を操作して電子カメラの電源が投入されると初期化処理が実行される。初期化処理は、まずステップＳ４１０において第１の初期化処理が行われる。第１の初期化処理では、撮影レンズの繰り出し、ＬＣＤ１６０への起動画面の表示、ユーザ設定データの内蔵フラッシュメモリ１５０からの読み出し、及び記憶装置のＤＳＰ１３０へのマウント等が行われる。次にステップＳ４２０において、内蔵フラッシュメモリ１５０からステート情報を読み出す。ステップＳ４３０ではステート情報が記録されているか否かが判断され、ステート情報が記録されていない場合にはステップＳ４８０にて第２の初期化処理が行われる。ステート情報が記録されている場合にはステップＳ４４０にて内蔵フラッシュメモリ１５０に記録されている画像データをＲＡＭ１４０に展開する。
【００２９】
ステップＳ４５０では、ＲＡＭ１４０に展開された画像データはＬＣＤ１６０に表示される。ステップＳ４６０では例えば画面４６５のように、ＬＣＤ１６０は画像データを外部メディア１７０に記録するか否かを確認するメッセージを画像データと同時に表示する。次のステップＳ４７０においては確認メッセージの選択に従って画像復活保存処理が実行された後、ステップＳ４８０において第２の初期化処理が行われる。
【００３０】
第２の初期化処理では、ＣＣＤ／ＡＦＥ１２０に結像した被写体像をＬＣＤ１６０にスルー表示すると共に、スイッチ１８０の操作を可能にすべくスイッチマスクの解除を行う。以上により、全ての初期化処理が終了し撮影準備が整えられる。
【００３１】
次に図５を用いて画像復活保存処理について説明する。
【００３２】
図４のステップＳ４６０における確認メッセージの表示に従い、ユーザはＤＳＰ１３０に接続されたスイッチ１８０を操作して表示されている画像を削除するか、又は外部メディアに保存するかを選択する。確認メッセージは画像データと同時に表示されるため、ユーザによる削除又は保存の選択が容易となる。保存を選択したときには、ステップＳ２４０において保存処理が行われる。保存処理は図３で示したものと同様である。削除を選択したときには、ステップＳ５３０において内蔵フラッシュメモリ１５０に記録されている画像データを削除して、ステップＳ５４０でステート情報を消去する。以上により画像復活保存処理が終了する。これによって、画像データを失うことなく、内蔵フラッシュメモリ１５０から外部メディア１７０に保存することができる。
【００３３】
なお、内蔵フラッシュメモリ１５０に画像データが記録されたとき、図３のステップＳ３７０においてデジタルカメラの電源は切断されなくてもよい。このとき、図４におけるステップＳ４２０からＳ４８０の動作は外部メディア１７０の挿入又はステート情報の有無に応じて実行され、内蔵フラッシュメモリ１５０に保存された画像データは外部メディア１７０に保存される。ユーザによる電源操作の手間を省き、迅速な撮影を行うことが可能となる。
【００３４】
なお、外部メディアはＳＤカード等のメモリカード、ハードディスク、光学ディスクまたはソリッドステートメモリ等の記録媒体であってもよい。
【図面の簡単な説明】
【００３５】
【図１】本発明の一実施形態である画像記録装置の構成を示すブロック図である。
【図２】撮影処理を示したフローチャートである。
【図３】保存処理を示したフローチャートである。
【図４】初期化処理を示したフローチャートである。
【図５】画像復活保存処理を示したフローチャートである。
【符号の説明】
【００３６】
１１０  レンズ
１２０  ＣＣＤ／ＡＦＥ
１３０  ＤＳＰ
１４０  ＲＡＭ
１５０  内蔵フラッシュメモリ
１６０  ＬＣＤ
１７０  外部メディア
１７５  抜き差し検知スイッチ（開閉検知スイッチ）
１８０  スイッチ
【図１】
2007300474.tif 000003
【図２】
2007300474.tif 000004
【図３】
2007300474.tif 000005
【図４】
2007300474.tif 000006
【図５】
2007300474.tif 000007